(57)【要約】【課題】  取り扱いが容易である二液カートリッジを提供する。【解決手段】  蓋体４の円板状をなす主部４１の前面には、吐出口４４を設ける。主部４１の背面には、吐出口４４の内部に連通した第１、第２取付筒部４２，４３を設ける。第１、第２筒部４２，４３には、フィルムからなる筒状の第１、第２胴部２，３の先端部を嵌合固着する。【選択図】図４
2008213929.tif 000002
【特許請求の範囲】
【請求項１】
フィルムからなる筒状の第１、第２胴部と、一定の形状を維持することができるよう所定の強度を有する蓋体とを備え、上記第１、第２胴部の後端部が閉じられるとともに、先端部が開口され、上記蓋体の前面には吐出口が形成され、背面には上記吐出口にそれぞれ連通し、かつ後方へ向かって延びる第１、第２取付筒部が形成され、この第１、第２取付筒部に上記第１、第２胴部の先端部がそれぞれ嵌め込まれて固定されていることを特徴とする二液カートリッジ。
【請求項２】
上記蓋体には、一端が蓋体の前面に開口し、他端が上記第１、第２取付筒部の内部に臨むように上記蓋体の背面に開口する第１、第２注入孔が設けられ、上記第１、第２注入孔が第１、第２閉じ栓によってそれぞれ閉じられていることを特徴とする請求項１に記載の二液カートリッジ。
【請求項３】
上記第１、第２胴部の後端部がそれぞれ押し潰されることによって各後端部の内面どうしが押し付けられ、その押し付けられた内面どうしが固着されることにより、上記第１、第２胴部の各後端部が閉じられていることを特徴とする請求項１又は２に記載の二液カートリッジ。
【発明の詳細な説明】
【技術分野】
【０００１】
この発明は、吐出ガン等の吐出装置に用いられる二液カートリッジに関する。
【背景技術】
【０００２】
従来のこの種のカートリッジが下記特許文献１に記載されている。このカートリッジは、二つの半体によって構成されている。各半体は、フィルムからなる筒状の胴部と、この胴部の先端開口部を閉じる蓋体と、胴部の後端開口部を閉じる底部とによって構成されており、蓋体には吐出口が形成されている。各半体を構成する胴部、蓋体及び底部は、いずれも断面半円状をなしている。
【０００３】
上記構成のカートリッジを用いる場合には、両半体を合わせた断面形状が略円形になるよう、各半体の平面部どうしを互いに接触させる。また、各吐出口の外周面に形成された半ねじ部の位相を合わせるために、各半体の長手方向における位置調整をする。その後、両半ねじ部にノズルを螺合させることにより、二つの半体を一体化して一つのカートリッジとする。そして、このカートリッジを吐出ガン等に装着して用いる。
【０００４】
【特許文献１】特許第３２３１５２５号公報
【発明の開示】
【発明が解決しようとする課題】
【０００５】
上記従来の二液カートリッジは、二つの半ねじ部にノズルを螺合させるまでは二つの半体が独立しているため、取り扱い難いという問題があった。しかも、二つの半ねじ部にノズルを螺合させる際には、両半ねじ部の位相を合わせなければならず、ノズルの螺合に手間が掛かるという問題があった。
【課題を解決するための手段】
【０００６】
この発明は、上記の問題を解決するために、フィルムからなる筒状の第１、第２胴部と、一定の形状を維持することができるよう所定の強度を有する蓋体とを備え、上記第１、第２胴部の後端部が閉じられるとともに、先端部が開口され、上記蓋体の前面には吐出口が形成され、背面には上記吐出口にそれぞれ連通し、かつ後方へ向かって延びる第１、第２取付筒部が形成され、この第１、第２取付筒部に上記第１、第２胴部の先端部がそれぞれ嵌め込まれて固定されていることを特徴としている。
この場合、上記蓋体には、一端が蓋体の前面に開口し、他端が上記第１、第２取付筒部の内部に臨むように上記蓋体の背面に開口する第１、第２注入孔が設けられ、上記第１、第２注入孔が第１、第２閉じ栓によってそれぞれ閉じられていることが望ましい。
また、上記第１、第２胴部の後端部がそれぞれ押し潰されることによって各後端部の内面どうしが押し付けられ、その押し付けられた内面どうしが固着されることにより、上記第１、第２胴部の各後端部が閉じられていることが望ましい。
【発明の効果】
【０００７】
上記特徴構成を有するこの発明によれば、第１、第２胴部が蓋体を介して一体化され、ひいては第１、第２胴部及び蓋体が一体化される。したがって、二液カートリッジ全体を容易に取り扱うことができる。また、蓋体の吐出口の外周に雄ねじ部を形成し、その雄ねじ部にノズルを螺合させる場合には、吐出口が二分されることなく、吐出口全体が一体に形成されているから、雄ねじ部の位相合わせを行うことなく、ノズルを吐出口に容易に螺合固定することができる。
【発明を実施するための最良の形態】
【０００８】
以下、この発明を実施するための最良の形態を、図面を参照して説明する。
図１〜図７は、この発明に係る二液カートリッジの一実施の形態を示す。図１〜図４に示すように、この実施の形態の二液カートリッジ１は、第１、第２の二つの胴部２，３と、蓋体４とを備えている。
【０００９】
第１胴部２は、単層又は複層のフィルムによって構成されている。通常、第１胴部２を構成するフィルムは、アルミニウム箔等の金属箔と、この金属箔を挟む二層以上の樹脂フィルムとを有する三層以上の積層フィルムが用いられている。そして、フィルムを巻回した後、その両端部どうしを固着して筒状にすることにより、第１胴部２が形成されている。なお、フィルムの両端部は、封筒張りしてもよく、合掌張りしてもよい。第１胴部２は、先端側へ向かうにしたがって小径になるようにテーパ状に形成されている。勿論、第１胴部２は、ストレートな筒状に形成してもよい。また、第１胴部２の断面形状は任意であるが、この実施の形態では略半円状に形成されている。
【００１０】
第１胴部２の先端部（図１〜図４において左端部）は、開口させられている。一方、第１胴部２の後端部は、内面どうしが隙間なく接触するまで径方向に押し潰されている。そして、互いに接触する内面どうしが固着されることにより、第１胴部２の後端部が閉じられている。第１胴部２の後端部は、硬質の樹脂からなる半円板状の底部によって閉じてもよい。
【００１１】
第２胴部３は、この実施の形態では第１胴部２と同一に構成されている。そこで、第２胴部３の説明は省略する。ただし、第２胴部３の断面形状や断面の大きさは、二液カートリッジ１の用途に応じて第１胴部２と異なるものとされることもある。その一方、第２胴部３の長さは、後述するように、第１、第２胴部２，３の後端部が吐出ガンのピストンＧ３（図７参照）によって同時に押されるよう、第１胴部２の長さと同一にされる。
【００１２】
蓋体４は、それ自体の形状を一定の形状に維持することができるよう、硬質の樹脂により所定の強度をもって構成されている。蓋体４は、円板状をなす主部４１を有している。この主部４１の背面（図１〜図４において右面）には、軸線を前後方向に向けた長さの短い第１、第２取付筒部４２，４３が形成されている。第１、第２取付筒部４２，４３は、第１、第２胴部２，３とそれぞれ相似な形状を有している。つまり、断面半円状をなしている。特に、各取付筒部４２，４３の内周は、第１、第２胴部２，３の外周とほぼ同一形状、同一寸法を有している。図６に示すように、第１、第２取付筒部４２，４３は、主部４１の中心（軸線）に関して対称に、かつ平面状をなす側部が主部４１の中心側に位置するように配置されている。しかも、第１、第２取付筒部４２，４３の平面状をなす内側の側部どうしは、主部４１の中央部において互いに一体化されている。第１、第２取付筒部４２，４３の内側の側部は、主部４１の径方向に互いに離間させてもよい。
【００１３】
各取付筒部４２，４３の各内周には、第１、第２胴部２，３の先端部がそれぞれ挿入固着されている。第１、第２胴部２，３の第１、第２取付筒部４２，４３への固着は、接着等の各種の方法を採用することができるが、この実施の形態では、蓋体４を射出成形する際に、成形型内に第１、第２胴部２，３の先端部を予めセットしておくというインサート成形法を採用することにより、蓋体４の成形と同時に第１、第２胴部２，３の先端部が第１、第２取付筒部４２，４３の内周面に融着されている。第１、第２胴部２，３の先端部は、第１、第２取付筒部４２，４３の外周面にそれぞれ固着してもよい。
【００１４】
主部４１の前面には、円筒状をなす吐出口４４が形成されている。この吐出口４４は、その軸線が主部４１の軸線と一致するように配置されている。図４及び図５に示すように、吐出口４４の内部には、隔壁４５が形成されている。この隔壁４５により、吐出口４４の内部が、第１吐出孔４４ａと第２吐出孔４４ｂとに二分されている。第１吐出孔４４ａは、主部４１に形成された第１連通孔４１ａを介して第１取付筒部４２の内部に連通し、ひいては第１胴部２の内部に連通している。第２吐出孔４４ｂは、主部４１に形成された第２連通孔４１ｂを介して第２取付筒部４３の内部に連通し、ひいては第２胴部３の内部に連通している。吐出口４４の外周面には、吐出口４４にノズルＮ（図７参照）を螺合固定するために雄ねじ部４４ｃが形成されている。
【００１５】
主部４１には、第１、第２注入孔４６，４７が形成されている。第１、第２注入孔４６，４７は、主部４１をその前面から背面まで貫通している。第１注入孔４６は、主部４１の背面における開口部が第１取付筒部４２の内部に臨むように配置されている。第２注入口４７は、主部４１の背面における開口部が第２取付筒部４３の内部に臨むように配置されている。したがって、第１、第２注入孔４６，４７から互いに異なる二種類の液体（ないしは流動性物質）、例えば二液性接着剤を構成する二つの液体を注入すると、各液体は、第１、第２胴部２，３にそれぞれ充填される。各液体の充填後、第１、第２注入孔４６，４７は、主部４１の前面側から挿入された第１、第２閉じ栓５，６によってそれぞれ閉じられている。
【００１６】
第１、第２注入孔４６，４７から第１、第２胴部２，３に液体を充填する際には、第１、第２胴部２，３内の空気が第１、第２取付筒部４２，４３の各内部、第１、第２連通孔４１ａ，４１ｂ及び第１、第２吐出口４４ａ，４４ｂを通ってそれぞれ外部に排出される。したがって、この二液カートリッジ１においては、空気抜き用の孔を別途設ける必要がない。よって、二液カートリッジ１の製造費を軽減することができる。
【００１７】
また、第１、第２胴部２，３の後端部の内面どうしの固着及び各先端部と第１、第２取付筒部４２，４３との固着が液体の充填前に行われているので、それらの固着強度を高いものにすることができる。すなわち、仮に蓋体４に第１、第２注入孔４６，４７が設けられておらず、第１、第２胴部２，３の後端部開口部が樹脂からなる底部によって閉じられているものとすると、第１、第２の胴部２，３への液体の充填は、胴部２，３の先端開口部又は後端開口部から行われる。例えば、後端開口部から充填する場合には、充填後に底部が第１、第２胴部２，３に固着される。しかるに、液体の充填時には、第１、第２胴部２，３の後端開口部の内周面に液体が付着することがある。この付着した液体によって底部の第１、第２胴部２，３への強固な固着が阻害されるおそれがある。これは、第１、第２胴部２，３の先端開口部から液体を充填し、その後蓋体４の第１、第２取付筒部４２，４３に第１、第２胴部２，３の先端部を固着する場合も同様である。この点、この二液カートリッジ１では、第１、第２胴部２，３の後端部の固着及び先端部の蓋体４への固着が液体の充填前に行われるので、それらの固着を強固なものにすることができる。
【００１８】
上記構成の二液カートリッジ１を用いる場合には、図７に示すように、吐出口４４の外周にノズルＮの基端部を螺合固定する。このとき、吐出口４４及び雄ねじ部４４ｃのいずれもが一体に形成されているから、ノズルＮを吐出口４４に容易に螺合固定することができる。次に、二液カートリッジ１を硬質の樹脂からなるガイド筒Ｔ内に挿入する。このときも、第１、第２胴部２，３が蓋体４を介して連結されているから、カートリッジ１をガイド筒Ｔ内に容易に挿入することができる。
【００１９】
その後、二液カートリッジ１をガイド筒Ｔと共に吐出ガンの装着部Ｓに取り付ける。その際、主部４１の前面及びガイド筒Ｔの前面を装着部Ｇ１の先端部に設けられた馬蹄形のストッパ板部Ｇ２に押し付け、カートリッジ１及びガイド筒Ｔの前方への移動を阻止する。また、吐出口４４は、ストッパ板部Ｇ２を貫通させておく。次に、ガイド筒Ｔに摺動可能に嵌合されたプランジャＰを吐出ガンのピストンＧ３によって前進させる。すると、プランジャＰが第１、第２胴部２，３の後端部を押す。これにより、各胴部２，３に充填された各液体が第１、第２取付筒部４２，４３内に吐出される。第１、第２取付筒部４２，４３内に吐出された各液体は、第１、第２連通孔４１ａ，４１ｂ及び第１、第２吐出口４４ａ，４４ｂを通ってノズルＮ内に流入する。そして、ノズルＮ内において十分に混合され、ノズルＮの先端開口部から所望の箇所に吐出される。
【００２０】
なお、この発明は、上記の実施の形態に限定されるものでなく、その要旨を逸脱しない範囲において適宜変更可能である。
例えば、上記の実施の形態においては、吐出口４４の内部に隔壁４５を設けることにより、第１、第２胴部２，３に充填された液体が吐出口４４内において混合することを防止しているが、第１、第２胴部２，３に充填される液体が吐出口４４内において混合しても差し支えないような液体であるときには、隔壁４５を設けなくてもよい。
【図面の簡単な説明】
【００２１】
【図１】この発明の一実施の形態を示す斜視図である。
【図２】同実施の形態の一部省略平面図である。
【図３】同実施の形態の一部省略正面図である。
【図４】図３のＸ−Ｘ線に沿う断面図である。
【図５】同実施の形態の拡大左側面図である。
【図６】図３のＹ−Ｙ線に沿う拡大断面図である。
【図７】同実施の形態の使用の一例を示す図である。
【符号の説明】
【００２２】
１  二液カートリッジ
２  第１胴部
３  第２胴部
４  蓋体
５  第１閉じ栓
６  第２閉じ栓
４２  第１取付筒部
４３  第２取付筒部
４４  吐出口
４６  第１注入孔
４７  第２注入孔
【図１】
2008213929.tif 000003
【図２】
2008213929.tif 000004
【図３】
2008213929.tif 000005
【図４】
2008213929.tif 000006
【図５】
2008213929.tif 000007
【図６】
2008213929.tif 000008
【図７】
2008213929.tif 000009